(57)【要約】【課題】  電源部をヒューズで構成する場合は、負荷最大条件及びヒューズの溶断特性を充分考慮した設計が要求される。【解決手段】  第一の発明は、蛍光管部と、蛍光管部に電力を供給する電源部と、蛍光管部制御部と、電源部制御部と、を有する蛍光管システムであって、前記蛍光管部の電圧を示す情報である蛍光管部電圧情報を取得する蛍光管部電圧情報取得部と、前記蛍光管部制御部の制御状態に応じて前記蛍光管部が正常状態で有すべき電圧の情報である第一正常電圧情報を保持する第一正常電圧情報保持部と、前記蛍光管部電圧情報取得部が取得した蛍光管部電圧情報と、前記第一正常電圧情報保持部が保持する第一正常電圧情報とを比較する第一比較部と、前記第一比較部での比較結果に基づいて前記蛍光管部制御部又は／及び前記電源部制御部を駆動する第一自己駆動部と、を有する蛍光管システムに関する。【選択図】  図１
2005285517.tif 000002
【特許請求の範囲】
【請求項１】
蛍光管部と、蛍光管部に電力を供給する電源部と、蛍光管部制御部と、電源部制御部と、を有する蛍光管システムであって、
前記蛍光管部の電圧を示す情報である蛍光管部電圧情報を取得する蛍光管部電圧情報取得部と、
前記蛍光管部制御部の制御状態に応じて前記蛍光管部が正常状態で有すべき電圧の情報である第一正常電圧情報を保持する第一正常電圧情報保持部と、
前記蛍光管部電圧情報取得部が取得した蛍光管部電圧情報と、前記第一正常電圧情報保持部が保持する第一正常電圧情報とを比較する第一比較部と、
前記第一比較部での比較結果に基づいて前記蛍光管部制御部又は／及び前記電源部制御部を駆動する第一自己駆動部と、
を有する蛍光管システム。
【請求項２】
前記第一正常電圧情報保持部は、前記制御状態に応じた複数の第一正常電圧情報を保持することを特徴とする請求項１に記載の蛍光管システム。
【請求項３】
前記第一比較部は、前記制御状態に応じて複数の第一正常電圧情報から特定の第一正常電圧情報を取得して比較を行う選択比較手段を有する請求項２に記載の蛍光管システム。
【請求項４】
蛍光管部と、蛍光管部に電力を供給する電源部と、蛍光管部制御部と、電源部制御部と、を有する蛍光管システムであって、
前記電源部の電圧を示す情報である電源部電圧情報を取得する電源部電圧情報取得部と、
前記電源部制御部の制御状態に応じて前記電源部が正常状態で有すべき電圧の情報である第二正常電圧情報を保持する第二正常電圧情報保持部と、
前記電源部電圧情報取得部が取得した電源部電圧情報と、前記第二正常電圧情報保持部が保持する第二正常電圧情報とを比較する第二比較部と、
前記第二比較部での比較結果に基づいて前記蛍光管部制御部又は／及び前記電源部制御部を駆動する第二自己駆動部と、
を有する蛍光管システム。
【請求項５】
前記第二正常電圧情報保持部は、前記制御状態に応じた複数の第二正常電圧情報を保持することを特徴とする請求項４に記載の蛍光管システム。
【請求項６】
前記第二比較部は、前記制御状態に応じて複数の第二正常電圧情報から特定の第二正常電圧情報を取得して比較を行う選択比較手段を有する請求項５に記載の蛍光管システム。
【請求項７】
蛍光管部と、蛍光管部に電力を供給する電源部と、蛍光管部制御部と、電源部制御部と、を有する蛍光管システムであって、
前記蛍光管部の電圧を示す情報である蛍光管部電圧情報を取得する蛍光管部電圧情報取得部と、
前記蛍光管部制御部の制御状態に応じて前記蛍光管部が正常状態で有すべき電圧の情報である第一正常電圧情報を保持する第一正常電圧情報保持部と、
前記蛍光管部電圧情報取得部が取得した蛍光管部電圧情報と、前記第一正常電圧情報保持部が保持する第一正常電圧情報とを比較する第一比較部と、
前記蛍光管部の過渡状態の電圧を示す情報である過渡状態電圧情報を取得する過渡状態電圧情報取得部と、
前記蛍光管部が正常状態で有すべき過渡状態の電圧を示す情報である第三正常電圧情報を保持する第三正常電圧情報保持部と、
前記過渡状態電圧情報取得部が取得した過渡状態電圧情報と、前記第三正常電圧情報保持部が保持する第三正常電圧情報とを比較する第三比較部と、
前記第三比較部での比較結果及び前記第一比較部での比較結果に基づいて前記蛍光管部制御部又は／及び前記電源部制御部を駆動する第三自己駆動部と、
を有する蛍光管システム。
【請求項８】
蛍光管部と、蛍光管部に電力を供給する電源部と、蛍光管部制御部と、電源部制御部と、を有する蛍光管システムであって、
前記電源部の電圧を示す情報である電源部電圧情報を取得する電源部電圧情報取得部と、
前記電源部制御部の制御状態に応じて前記電源部が正常状態で有すべき電圧の情報である第二正常電圧情報を保持する第二正常電圧情報保持部と、
前記電源部電圧情報取得部が取得した電源部電圧情報と、前記第二正常電圧情報保持部が保持する第二正常電圧情報とを比較する第二比較部と、
前記蛍光管部の過渡状態の電圧を示す情報である過渡状態電圧情報を取得する過渡状態電圧情報取得部と、
前記蛍光管部が正常状態で有すべき過渡状態の電圧を示す情報である第三正常電圧情報を保持する第三正常電圧情報保持部と、
前記過渡状態電圧情報取得部が取得した過渡状態電圧情報と、前記第三正常電圧情報保持部が保持する第三正常電圧情報とを比較する第三比較部と、
前記第三比較部での比較結果及び前記第二比較部での比較結果に基づいて前記蛍光管部制御部又は／及び前記電源部制御部を駆動する第四自己駆動部と、
を有する蛍光管システム。
【請求項９】
蛍光管部と、蛍光管部に電力を供給する電源部と、蛍光管部制御部と、電源部制御部と、を有する蛍光管システムであって、
前記蛍光管部の電圧を示す情報である蛍光管部電圧情報を取得する蛍光管部電圧情報取得部と、
前記蛍光管部制御部の制御状態に応じて前記蛍光管部が正常状態で有すべき電圧の情報である第一正常電圧情報を保持する第一正常電圧情報保持部と、
前記蛍光管部電圧情報取得部が取得した蛍光管部電圧情報と、前記第一正常電圧情報保持部が保持する第一正常電圧情報とを比較する第一比較部と、
前記電源部の電圧を示す情報である電源部電圧情報を取得する電源部電圧情報取得部と、
前記電源部制御部の制御状態に応じて前記電源部が正常状態で有すべき電圧の情報である第二正常電圧情報を保持する第二正常電圧情報保持部と、
前記電源部電圧情報取得部が取得した電源部電圧情報と、前記第二正常電圧情報保持部が保持する第二正常電圧情報とを比較する第二比較部と、
前記蛍光管部の過渡状態の電圧を示す情報である過渡状態電圧情報を取得する過渡状態電圧情報取得部と、
前記蛍光管部が正常状態で有すべき過渡状態の電圧を示す情報である第三正常電圧情報を保持する第三正常電圧情報保持部と、
前記過渡状態電圧情報取得部が取得した過渡状態電圧情報と、前記第三正常電圧情報保持部が保持する第三正常電圧情報とを比較する第三比較部と、
前記第三比較部での比較結果、前記第二比較部での比較結果、及び前記第一比較部での比較結果に基づいて前記蛍光管部制御部又は／及び前記電源部制御部を駆動する第五自己駆動部と、
を有する蛍光管システム。
【発明の詳細な説明】
【技術分野】
【０００１】
本発明は、バックライトを有する液晶ディスプレイなどに使用される蛍光管システムに関する。
【背景技術】
【０００２】
従来、バックライトを有する液晶ディスプレイなど、例えば液晶モニタ、液晶テレビ、ノートパソコン、車載用カーナビなどの保護回路は、調光による負荷変動が大きく、電源を供給する電源部にはヒューズを有する構成が一般的である。又、バックライトには、その構成要素である蛍光管の破損などにより蛍光管電流が減少したときに電源を遮断する保護回路も付加されている。保護回路を有する光源駆動回路に関しては、特許文献１や特許文献２などが開示されている。
【０００３】
特許文献１においては、直流電源を直流−交流変換してバックライトに出力するインバータは、直流−交流変換回路と、出力電流検出回路と、管電流検出回路と、過電流設定回路と、管電流設定回路とを有している。直流−交流変換回路は、直流電源を直流−交流変換する。出力電流検出回路は、前記直流−交流変換回路からバックライトへの出力電流を検出する。管電流検出回路は、バックライトの管電流を検出する。過電流設定回路は、前記出力電流検出回路の検出値が過電流であることを判断して、前記直流−交流変換回路の動作を停止する。管電流設定回路は、外部からの指令に応じた管電流値を設定し前記直流−交流変換回路を制御するとともに、前記過電流設定回路の設定値レベルを調整する。このように特許文献１においては、全調光範囲においても良好に保護機能が働く保護回路付きインバータを提供する技術が開示されている。
【０００４】
又、特許文献２においては、放電灯点灯装置が放電灯に印加する高周波電圧を検出する手段を設け、前記高周波電圧が低圧部との間で放電を行った場合、高周波電圧は正常に放電灯を点灯しているときの電圧値より低下することから高周波電圧の異常を判定し、放電灯点灯装置の動作を停止せしめる保護回路が開示されている。
【特許文献１】特開平１１−３５５９６０号公報
【特許文献２】特開平１１−１２１１９０号公報
【発明の開示】
【発明が解決しようとする課題】
【０００５】
しかしながら、上述の蛍光管システムのように、電源部をヒューズで構成する場合は、負荷最大条件及びヒューズの溶断特性を充分考慮した設計が要求される。実際にヒューズを採用する場合には予期せぬ異物混入等による瞬間的な短絡や電源投入時のラッシュ電流など、瞬時の過電流などでも溶断しないようにある程度の電流マージンが必要となっている。これは、簡単に切れてしまうと頻繁に部品交換が必要となるためで、充分に電流が流れないと溶断しない対策をとっているためである。しかし、この対策は蛍光管前段部の制御回路部品を損傷させる恐れがあるという問題を有している。また、従来の保護回路は、インバータや蛍光管の異常を検知して単独で制御する構成となっており、今後液晶テレビジョンも大型化への移行により仕様面で高付加価値を追求する方向にあり、複合的な制御を可能とする保護回路の要求が増している。
【課題を解決するための手段】
【０００６】
本発明は、上記課題に鑑みなされたものである。
【０００７】
第一の発明は、蛍光管部と、蛍光管部に電力を供給する電源部と、蛍光管部制御部と、電源部制御部と、を有する蛍光管システムであって、前記蛍光管部の電圧を示す情報である蛍光管部電圧情報を取得する蛍光管部電圧情報取得部と、前記蛍光管部制御部の制御状態に応じて前記蛍光管部が正常状態で有すべき電圧の情報である第一正常電圧情報を保持する第一正常電圧情報保持部と、前記蛍光管部電圧情報取得部が取得した蛍光管部電圧情報と、前記第一正常電圧情報保持部が保持する第一正常電圧情報とを比較する第一比較部と、前記第一比較部での比較結果に基づいて前記蛍光管部制御部又は／及び前記電源部制御部を駆動する第一自己駆動部と、を有する蛍光管システムに関する。
【０００８】
第二の発明は、前記第一正常電圧情報保持部は、前記制御状態に応じた複数の第一正常電圧情報を保持することを特徴とする第一の発明に記載の蛍光管システムに関する。
【０００９】
第三の発明は、前記第一比較部は、前記制御状態に応じて複数の第一正常電圧情報から特定の第一正常電圧情報を取得して比較を行う選択比較手段を有する第二の発明に記載の蛍光管システムに関する。
【００１０】
第四の発明は、蛍光管部と、蛍光管部に電力を供給する電源部と、蛍光管部制御部と、電源部制御部と、を有する蛍光管システムであって、前記電源部の電圧を示す情報である電源部電圧情報を取得する電源部電圧情報取得部と、前記電源部制御部の制御状態に応じて前記電源部が正常状態で有すべき電圧の情報である第二正常電圧情報を保持する第二正常電圧情報保持部と、前記電源部電圧情報取得部が取得した電源部電圧情報と、前記第二正常電圧情報保持部が保持する第二正常電圧情報とを比較する第二比較部と、前記第二比較部での比較結果に基づいて前記蛍光管部制御部又は／及び前記電源部制御部を駆動する第二自己駆動部と、を有する蛍光管システムに関する。
【００１１】
第五の発明は、前記第二正常電圧情報保持部は、前記制御状態に応じた複数の第二正常電圧情報を保持することを特徴とする第四の発明に記載の蛍光管システムに関する。
【００１２】
第六の発明は、前記第二比較部は、前記制御状態に応じて複数の第二正常電圧情報から特定の第二正常電圧情報を取得して比較を行う選択比較手段を有する第五の発明に記載の蛍光管システムに関する。
【００１３】
第七の発明は、蛍光管部と、蛍光管部に電力を供給する電源部と、蛍光管部制御部と、電源部制御部と、を有する蛍光管システムであって、前記蛍光管部の電圧を示す情報である蛍光管部電圧情報を取得する蛍光管部電圧情報取得部と、前記蛍光管部制御部の制御状態に応じて前記蛍光管部が正常状態で有すべき電圧の情報である第一正常電圧情報を保持する第一正常電圧情報保持部と、前記蛍光管部電圧情報取得部が取得した蛍光管部電圧情報と、前記第一正常電圧情報保持部が保持する第一正常電圧情報とを比較する第一比較部と、前記蛍光管部の過渡状態の電圧を示す情報である過渡状態電圧情報を取得する過渡状態電圧情報取得部と、前記蛍光管部が正常状態で有すべき過渡状態の電圧を示す情報である第三正常電圧情報を保持する第三正常電圧情報保持部と、前記過渡状態電圧情報取得部が取得した過渡状態電圧情報と、前記第三正常電圧情報保持部が保持する第三正常電圧情報とを比較する第三比較部と、前記第三比較部での比較結果及び前記第一比較部での比較結果に基づいて前記蛍光管部制御部又は／及び前記電源部制御部を駆動する第三自己駆動部と、を有する蛍光管システムに関する。
【００１４】
第八の発明は、蛍光管部と、蛍光管部に電力を供給する電源部と、蛍光管部制御部と、電源部制御部と、を有する蛍光管システムであって、前記電源部の電圧を示す情報である電源部電圧情報を取得する電源部電圧情報取得部と、前記電源部制御部の制御状態に応じて前記電源部が正常状態で有すべき電圧の情報である第二正常電圧情報を保持する第二正常電圧情報保持部と、前記電源部電圧情報取得部が取得した電源部電圧情報と、前記第二正常電圧情報保持部が保持する第二正常電圧情報とを比較する第二比較部と、前記蛍光管部の過渡状態の電圧を示す情報である過渡状態電圧情報を取得する過渡状態電圧情報取得部と、前記蛍光管部が正常状態で有すべき過渡状態の電圧を示す情報である第三正常電圧情報を保持する第三正常電圧情報保持部と、前記過渡状態電圧情報取得部が取得した過渡状態電圧情報と、前記第三正常電圧情報保持部が保持する第三正常電圧情報とを比較する第三比較部と、前記第三比較部での比較結果及び前記第二比較部での比較結果に基づいて前記蛍光管部制御部又は／及び前記電源部制御部を駆動する第四自己駆動部と、を有する蛍光管システムに関する。
【００１５】
第九の発明は、蛍光管部と、蛍光管部に電力を供給する電源部と、蛍光管部制御部と、電源部制御部と、を有する蛍光管システムであって、前記蛍光管部の電圧を示す情報である蛍光管部電圧情報を取得する蛍光管部電圧情報取得部と、前記蛍光管部制御部の制御状態に応じて前記蛍光管部が正常状態で有すべき電圧の情報である第一正常電圧情報を保持する第一正常電圧情報保持部と、前記蛍光管部電圧情報取得部が取得した蛍光管部電圧情報と、前記第一正常電圧情報保持部が保持する第一正常電圧情報とを比較する第一比較部と、前記電源部の電圧を示す情報である電源部電圧情報を取得する電源部電圧情報取得部と、前記電源部制御部の制御状態に応じて前記電源部が正常状態で有すべき電圧の情報である第二正常電圧情報を保持する第二正常電圧情報保持部と、前記電源部電圧情報取得部が取得した電源部電圧情報と、前記第二正常電圧情報保持部が保持する第二正常電圧情報とを比較する第二比較部と、前記蛍光管部の過渡状態の電圧を示す情報である過渡状態電圧情報を取得する過渡状態電圧情報取得部と、前記蛍光管部が正常状態で有すべき過渡状態の電圧を示す情報である第三正常電圧情報を保持する第三正常電圧情報保持部と、前記過渡状態電圧情報取得部が取得した過渡状態電圧情報と、前記第三正常電圧情報保持部が保持する第三正常電圧情報とを比較する第三比較部と、前記第三比較部での比較結果、前記第二比較部での比較結果、及び前記第一比較部での比較結果に基づいて前記蛍光管部制御部又は／及び前記電源部制御部を駆動する第五自己駆動部と、を有する蛍光管システムに関する。
【発明の効果】
【００１６】
本発明の蛍光管システムによれば、電源電圧の過渡状態と調光のタイミングを計り、円滑な保護条件を提供することができる。また本発明は、電源電圧の過渡状態を検知して制御可能な電位と調光(明るさ制御：負荷変動が大)等のように外部制御(例えばユーザー制御：キー操作)を関連づけたところに特徴を持っている。
【発明を実施するための最良の形態】
【００１７】
以下に本発明の実施形態を説明する。実施形態と、請求項との関係はおおむね次のようなものである。なお、本発明はこれら実施の形態に何ら限定されるものではなく、その要旨を逸脱しない範囲において、種々なる態様で実施しうる。実施形態１は、主に、請求項１、２、３などについて説明している。実施形態２は、主に、請求項４、５、６などについて説明している。実施形態３は、主に、請求項７について説明している。実施形態４は、主に、請求項８について説明している。実施形態５は、主に、請求項９について説明している。
【００１８】
<<実施形態１>>
以下に、本発明の蛍光管システムの実施形態１について説明する。
【００１９】
<実施形態１の概念>
以下に、本実施形態の概念について説明する。本実施形態の蛍光管システムは、蛍光管部の管電圧を監視することにより、検出した管電圧に応じて蛍光管部制御部又は／及び電源部制御部を駆動して、蛍光管部又は／及び電源部を保護することに特徴を有する。
【００２０】
<構成要件の明示>
以下に、本実施形態の構成要件を明示する。
図１は、本実施形態の蛍光管システムの機能ブロック図である。本実施形態の蛍光管システム０１００は、蛍光管部０１０１と、電源部０１０２と、蛍光管部制御部０１０３と、電源部制御部０１０４と、蛍光管部電圧情報取得部０１０５と、第一正常電圧情報保持部０１０６と、第一比較部０１０７と、第一自己駆動部０１０８と、からなる。
【００２１】
<構成要件の説明>
以下に本実施形態の構成要件を説明する。
【００２２】
（蛍光管部）
「蛍光管部」とは、液晶ディスプレイなどのバックライト（Ｂａｃｋ  ｌｉｇｈｔ）に使用される光源のことをいう。蛍光管部には、蛍光ランプの一種である冷陰極管（ＣＣＦＴ：Ｃｏｌｄ  Ｃａｔｈｏｄｅ  Ｆｌｕｏｒｅｓｃｅｎｔ  Ｔｕｂｅ）や熱陰極管（ＨＣＦＴ：Ｈｏｔ  Ｃａｔｈｏｄｅ  Ｆｌｕｏｒｅｓｃｅｎｔ  Ｔｕｂｅ）などが該当する。蛍光ランプは、放電電極部がフィラメントでないタイプであり、放電により発生する水銀の紫外線が蛍光体を励起して可視光を発する。また冷陰極管は、熱陰極管に比べ電流が流せない分、輝度はやや低いが管径は細くでき、また寿命が長いという特徴を有する。ここで「バックライト」とは、液晶ディスプレイなどの背面に設置される光源を供給する部分である。バックライトは、蛍光管部である蛍光ランプ（熱陰極管や冷陰極管）、導光板、拡散板（シート）などで構成される。
【００２３】
蛍光管部として使用される冷陰極管は、管の長さ、管径、管内のガスの種類やガス圧など、管特有の性質と周囲温度により、輝度や電気的特性が変化する。管の種類にもよるが、一例として、冷陰極管の両端の電極に５００〜１６００Ｖｒｍｓ（Ｖｏｌｔａｇｅ  Ｒｏｏｔ  Ｍｅａｎ  Ｓｑｕａｒｅ：電圧の実効値）程度の高電圧を加えることにより放電が開始される。このときの電圧を放電開始電圧という。ここで、「電圧の実効値」とは、数学的には電圧波形を二乗し、平均値をとり、その二乗根をとったもののことをいう。純抵抗にＸ（Ｖｒｍｓ）の交流電圧を印加した場合と、Ｘ（Ｖ）の直流電圧を印加した場合には、純抵抗で消費されるエネルギーは同一となる。また、蛍光管部にかかる交流の管電圧の周波数は、一例として、５０ＫＨｚ〜６０ＫＨｚである。
【００２４】
冷陰極管に電流が流れると、管のインピーダンスが下がり、冷陰極管の両電極間電圧が急激に減少する。しかし、ある程度まで電流が流れると、電圧の減少は緩やかになり、ほぼ定電圧特性を示すようになる。このときの電圧を管電圧という。管電圧は、一例として、３００〜１３００Ｖｒｍｓ程度の電圧が該当する。
【００２５】
図２は、蛍光管部の電圧（Ｖ）−電流（Ｉ）特性の一例を示す図である。蛍光管部に電流が流れ始めると、最初は急激に蛍光管部の電圧が上昇するが、ある程度電流が流れると蛍光管部の電圧が急激に減少している。しかし、さらにある程度まで電流が流れると、電圧の減少は緩やかになり、ほぼ定電圧特性を示すことがわかる。
【００２６】
（電源部）
「電源部」とは、蛍光管システムに電源を供給する部分のことをいう。電源部の供給する電圧には、商用電源の電圧である１００Ｖの電源などが該当する。また、電源部の電圧は、１００Ｖの電源から交流−直流変換された約６〜１５Ｖの直流電圧などであってもよい。電源部から供給される電源は、インバータ、トランスなどによって直流−交流変換、電圧変換されて蛍光管部に供給される。なお、図１の蛍光管システムの機能ブロック図には、インバータ、トランスなどは図示していない。また、インバータ、トランスは電源部の内部に存在する構成としてもよい。
【００２７】
（蛍光管部制御部）
「蛍光管部制御部」とは、蛍光管部の電圧、電流を調整することにより蛍光管部の輝度等を制御する部分のことをいう。蛍光管部制御部は、第一自己駆動部からの信号によって、蛍光管部を制御する。一例として、蛍光管部の制御には、蛍光管部の輝度を低くする制御、高くする制御、維持する制御、遮断する制御などが該当する。
【００２８】
（電源部制御部）
「電源部制御部」とは、電源部の電圧、電流等を制御する部分のことをいう。電源部制御部は、第一自己駆動部からの信号によって、電源部を制御する。一例として、電源部の制御には、電源部の電圧を低くする制御、高くする制御、維持する制御、遮断する制御などが該当する。
【００２９】
（蛍光管部電圧情報取得部）
「蛍光管部電圧情報取得部」は、蛍光管部電圧情報を取得する。ここで「蛍光管部電圧情報」とは、蛍光管部の電圧を示す情報のことをいう。蛍光管部電圧情報には、一例として、３００〜１３００Ｖｒｍｓ程度の電圧が該当する。
【００３０】
（第一正常電圧情報保持部）
「第一正常電圧情報保持部」は、第一正常電圧情報を保持する。ここで「第一正常電圧情報」とは、蛍光管部制御部の制御状態に応じて蛍光管部が正常状態で有すべき電圧の情報のことをいう。また「蛍光管部制御部の制御状態に応じて」とは、外部からのユーザー制御により設定された電圧値に従って蛍光管部制御部によって制御される電圧値に応じて、という意味である。また「正常状態」とは、上記設定された電圧の範囲内の状態にある電圧値のことをいう。第一正常電圧情報には、一例として、４７５〜５２５Ｖｒｍｓの範囲内の電圧値などが該当する。また第一正常電圧情報は、電圧値に加えて、蛍光管部の輝度に対応する情報、例えば、「明るい」、「通常」、「暗い」などの付加情報を有していてもよい。さらに第一正常電圧情報は、時間とは無関係にある幅を持った電圧値に限定されず、時間と関係付けられた電圧値であってもよい。時間と関係付けられた電圧値には、ある特定の時間における電圧値に限定されず、ある時間幅を持った電圧値であってもよい。例えば、１秒間にある幅を有する電圧値などであってもよい。
【００３１】
また第一正常電圧情報保持部は、制御状態に応じた複数の第一正常電圧情報を保持することもできる。一例として、第一正常電圧情報保持部は、蛍光管部の輝度に対応する複数の第一正常電圧情報、例えば、「明るい」、「通常」、「暗い」などの輝度に対応した複数の電圧値を保持することができる。この場合には、液晶ディスプレイなどの使用状況に応じて、適した輝度になるように蛍光管部を制御することが可能となる。
【００３２】
（第一比較部）
「第一比較部」は、蛍光管部電圧情報取得部が取得した蛍光管部電圧情報と、第一正常電圧情報保持部が保持する第一正常電圧情報とを比較する。一例として、第一比較部は、比較の結果、蛍光管部電圧情報で示される電圧値の方が第一正常電圧情報で示される範囲の電圧値よりも高い場合には、「Ｈ」の信号を第一自己駆動部に対して出力する。また比較の結果、蛍光管部電圧情報で示される電圧値の方が第一正常電圧情報で示される範囲の電圧値よりも低い場合には、第一比較部は、「Ｌ」の信号を第一自己駆動部に対して出力する。さらに比較の結果、蛍光管部電圧情報で示される電圧値が第一正常電圧情報で示される電圧値の範囲内にある場合には、第一比較部は、信号を第一自己駆動部に対して出力しない（例えばハイインピーダンス状態になる）。なお、第一比較部の出力は、デジタルデータの出力であってもよい。
【００３３】
また第一正常電圧情報保持部が制御状態に応じた複数の第一正常電圧情報を保持する場合には、第一比較部は、制御状態に応じて複数の第一正常電圧情報から特定の第一正常電圧情報を取得して比較を行う選択比較手段を有する構成とすることもできる。一例として、第一正常電圧情報保持部が、蛍光管部の輝度に対応する複数の第一正常電圧情報として、「明るい」、「通常」、「暗い」などの輝度に対応した複数の電圧値を保持している場合には、選択比較手段は、その中から、「明るい」に対応した第一正常電圧情報を取得して比較を行うことができる。この特定の第一正常電圧情報の取得は、蛍光管システム外部より手動でキー入力などによって取得されてもよいし、蛍光管システム内部であらかじめ設定されたＲＯＭなどのメモリから取得されてもよい。選択比較手段が蛍光管システム内部であらかじめ設定された複数の第一正常電圧情報の中から特定のものを取得する場合には、時間帯によって蛍光管部の輝度を自動的に変更できるように特定の第一正常電圧情報を取得することも可能である。例えば、朝方から夕方にかけての比較的日差しの強い時間帯には、「明るい」を選択し、夜間の日差しのない時間帯には、「通常」、「暗い」を選択するように構成することができる。
【００３４】
（第一自己駆動部）
「第一自己駆動部」は、第一比較部での比較結果に基づいて蛍光管部制御部又は／及び電源部制御部を駆動する。ここで「比較結果に基づいて」とは、第一比較部から出力された信号に従って、蛍光管部制御部又は／及び電源部制御部を駆動するという意味である。ここで「駆動する」とは、蛍光管部又は／及び電源部を所定の電圧になるように蛍光管部制御部又は／及び電源部制御部を駆動するという意味である。「所定の電圧」とは、蛍光管システムを設計するに際して設定される電圧のことをいう。一例として、第一自己駆動部は、第一比較部からの出力が「Ｈ」の場合には、蛍光管部が低輝度になるように蛍光管部制御部を駆動する。あるいは、蛍光管部の電圧を遮断するように蛍光管部制御部を駆動してもよい。また、一例として、第一自己駆動部は、第一比較部からの出力が「Ｈ」の場合には、電源部を低電圧になるように電源部制御部を駆動する。あるいは、電源部の電圧を遮断するように電源部制御部を駆動してもよい。
【００３５】
図３は、上記第一自己駆動部の制御の例を示す表である。例えば、第一正常電圧情報保持部が４７５〜５２５Ｖｒｍｓの電圧値を保持しているものとする。このとき、蛍光管部電圧情報取得部が取得した蛍光管部電圧情報が５５０Ｖｒｍｓであるとする。第一比較部は、蛍光管部電圧情報取得部が取得した蛍光管部電圧情報５５０Ｖｒｍｓと、第一正常電圧情報保持部が保持する第一正常電圧情報４７５〜５２５Ｖｒｍｓを比較し、蛍光管部電圧情報の方が電圧値が高いので、第一自己駆動部に対して「Ｈ」の信号を出力する。第一比較部から「Ｈ」の信号を取得した第一自己駆動部は、蛍光管部が低輝度になる方向、つまり第一正常電圧情報で示される輝度になるように蛍光管部制御部を駆動する。また、第一自己駆動部は、電源部が低電圧になる方向、つまり第一正常電圧情報で示される電圧になるように電源部制御部を駆動する。同様にして、蛍光管部電圧情報取得部が取得した蛍光管部電圧情報が４５０Ｖｒｍｓであるとする。第一比較部は、蛍光管部電圧情報取得部が取得した蛍光管部電圧情報４５０Ｖｒｍｓと、第一正常電圧情報保持部が保持する第一正常電圧情報４７５〜５２５Ｖｒｍｓを比較し、蛍光管部電圧情報の方が電圧値が低いので、第一自己駆動部に対して「Ｌ」の信号を出力する。第一比較部から「Ｌ」の信号を取得した第一自己駆動部は、蛍光管部が高輝度になる方向、つまり第一正常電圧情報で示される輝度になるように蛍光管部制御部を駆動する。また、第一自己駆動部は、電源部が高電圧になる方向、つまり第一正常電圧情報で示される電圧になるように電源部制御部を駆動する。さらに、蛍光管部電圧情報取得部が取得した蛍光管部電圧情報が５００Ｖｒｍｓであるとする。第一比較部は、蛍光管部電圧情報取得部が取得した蛍光管部電圧情報５００Ｖｒｍｓと、第一正常電圧情報保持部が保持する第一正常電圧情報４７５〜５２５Ｖｒｍｓを比較し、蛍光管部電圧情報の電圧値が第一正常電圧情報の範囲内にあるので、第一自己駆動部に対して信号を出力しない。第一比較部から信号を取得しない場合には、第一自己駆動部は、蛍光管部制御部を駆動しない。つまり、現状の蛍光管部の輝度を維持する。また、第一自己駆動部は、電源部制御部を駆動しない。つまり、現状の電源部の電圧を維持する。
【００３６】
（蛍光管システム）
本実施形態の蛍光管システムは、蛍光管部と、電源部と、蛍光管部制御部と、電源部制御部と、蛍光管部電圧情報取得部と、第一正常電圧情報保持部と、第一比較部と、第一自己駆動部を有する。本実施形態の蛍光管システムは、蛍光管部の管電圧を監視することにより、検出した管電圧に応じて蛍光管部制御部又は／及び電源部制御部を駆動して、蛍光管部又は／及び電源部を保護する。
【００３７】
<処理の流れ>
以下に本実施形態の蛍光管システムの処理の流れを示す。なお、以下に示す処理の流れは、方法、計算機に実行させるためのプログラム、またはそのプログラムが記録された読み取り可能な記録媒体として実施されうる（これは、本明細書のその他の処理の流れについても同様である）。
【００３８】
図４は、本実施形態の処理の流れを示す図である。
まず、第一正常電圧情報保持ステップは、蛍光管部制御部の制御状態に応じて蛍光管部が正常状態で有すべき電圧の情報である第一正常電圧情報を保持する（ステップＳ０４０１）。次に、蛍光管部電圧情報取得ステップは、蛍光管部の電圧を示す情報である蛍光管部電圧情報を取得する（ステップＳ０４０２）。次に、第一正常電圧情報保持ステップで保持した第一正常電圧情報が複数あるか判定する（ステップＳ０４０３）。第一正常電圧情報が複数ある場合には、ステップＳ０４０４に進む。第一正常電圧情報が複数ない場合には、ステップＳ０４０５に進む。次に選択比較手段は、複数の第一正常電圧情報の中から特定の第一正常電圧情報を選択する（ステップＳ０４０４）。次に、第一比較ステップは、蛍光管部電圧情報取得ステップが取得した蛍光管部電圧情報と、第一正常電圧情報保持ステップが保持する第一正常電圧情報とを比較する（ステップＳ０４０５）。次に、第一自己駆動ステップは、第一比較ステップでの比較結果に基づいて蛍光管部制御部又は／及び電源部制御部を駆動する（ステップＳ０４０６）。
【００３９】
（実施例１：主に請求項２、３に対応）
以下に、本実施形態の実施例１を説明する。実施例１は、第一正常電圧情報保持部が、複数の第一正常電圧情報を保持し、第一比較部が、複数の第一正常電圧情報から特定の第一正常電圧情報を取得して比較を行う選択比較手段を有することを特徴とする。
【００４０】
図５は、実施例１の機能ブロック図である。実施例１の蛍光管システム０５００は、蛍光管部０５０１と、電源部０５０２と、蛍光管部制御部０５０３と、電源部制御部０５０４と、蛍光管部電圧情報取得部０５０５と、第一正常電圧情報保持部０５０６と、第一比較部０５０７と、第一自己駆動部０５０８と、ユーザー制御部０５１３（キー入力）と、からなる。また第一比較部は、選択比較手段０５０９を有する。第一正常電圧情報保持部は、複数の第一正常電圧情報である第一基準電圧０５１０と、第二基準電圧０５１１と、第三基準電圧０５１２と、を有する。さらに図示してはいないが、通常、電源部から供給される電源は、インバータトランスなどによって直流−交流変換、電圧変換されて蛍光管部に供給される。なお、インバータトランスは電源部の内部に存在する構成としてもよい。ユーザー制御部には各種制御のための設定キーやボタンが設けられ、バックライトの明るさに関しても「明るい」、「通常」、「暗い」の３ポジションとして設定キーが設けられている。バックライトの明るさ設定スイッチの選択によりユーザー制御部から、ユーザー制御信号が出力され、ユーザー制御部の設定スイッチの選択位置に応じて選択比較手段は第一基準電圧、第二基準電圧または第三基準電圧の第一正常電圧情報を切換える。「明るい」設定の場合は第一基準電圧が選択され、「通常」設定の場合は第二基準電圧が選択され、「暗い」設定の場合は第三基準電圧が選択される。なお、第一基準電圧はバックライトの高輝度動作における上限の制御限界電圧に設定されており、第三基準電圧はバックライトの低輝度動作における下限の制御限界電圧に設定されている。また、蛍光管部電圧情報取得部で取得された蛍光管部電圧情報は、第一比較部にて第一正常電圧情報である第一基準電圧、第二基準電圧または第三基準電圧と比較され、比較結果は第一自己駆動部に出力される。第一自己駆動部は、第一比較部の信号とユーザー制御部からのユーザー制御信号に基づいて蛍光管部制御部及び／又は電源部制御部を制御する。
【００４１】
図６は、実施例１の第一自己駆動部の制御の一例を示す表である。第一比較部では、ユーザー制御部からのユーザー制御信号が「明るい」または「通常・暗い」の信号により第一正常電圧情報である第一基準電圧（「明るい」に対応）、第二基準電圧（「通常」に対応）または第三基準電圧（「暗い」に対応）のいずれであるかを特定する。第一比較部は、ユーザー制御信号により特定された複数の第一正常電圧情報の中の一の基準電圧（例えば、第一基準電圧、つまりユーザー制御信号が「明るい」の信号の場合）と、蛍光管部電圧情報とを比較する。比較の結果、例えば、蛍光管部電圧情報の電圧値の方が高い場合には、第一比較部の出力が「Ｈ」となる。この場合には、第一自己駆動部は、制御信号を蛍光管部制御部に出力し、低輝度方向にデューティを変えるように制御する。ここで「デューティ」とは、蛍光管部にかかるパルス状に印加される交流の管電圧の「Ｈ」に対する「Ｌ」（又はその逆であってもよい）の比率のことをいう。デューティは、１周期の間の「Ｈ」と「Ｌ」の時間の比率で決定される。蛍光管部は、管電圧が「Ｈ」のときに点灯する場合には、低輝度にするためには「Ｈ」の時間を「Ｌ」の時間よりも短くなるように制御すればよい。逆に高輝度にするためには「Ｈ」の時間を「Ｌ」の時間よりも長くなるように制御すればよい。第一自己駆動部は、電源部制御部に対しては、減電圧する方向に制御する。減電圧する方向に制御するには、電源部の時定数を大きくする方向に電源部制御部を制御することにより実現することができる。
【００４２】
次に、第一比較部での比較の結果、蛍光管部電圧情報の電圧値の方が低い場合には、第一比較部の出力が「Ｌ」となる。この場合には、第一自己駆動部は、制御信号を蛍光管部制御部に出力し、高輝度方向にデューティを変えるように制御する。第一自己駆動部は、電源部制御部に対しては、増電圧する方向に制御する。増電圧する方向に制御するには、電源部の時定数を小さくする方向に電源部制御部を制御することにより実現することができる。
【００４３】
次に、第一比較部での比較の結果、蛍光管部電圧情報の電圧値が第一基準電圧の範囲内の場合には、第一比較部は出力しない。この場合には、第一自己駆動部は、制御信号を蛍光管部制御部に出力せず、蛍光管部は現状の輝度を維持する。第一自己駆動部は、電源部制御部に対しても制御信号を出力せず、電源部は現状の電圧を維持する。
【００４４】
ユーザー制御信号が「通常・暗い」の信号の場合にも、ユーザー制御信号が「明るい」の信号の場合と同様に考えることができる。
【００４５】
<実施形態１の効果の簡単な説明>
【００４６】
本実施形態の蛍光管システムによれば、蛍光管部電圧情報を取得して、第一正常電圧情報と比較することにより、蛍光管及び／又は電源部の電圧の制御を行うことができるので、蛍光管部の異常電圧を検出し、蛍光管システムを正常な状態に戻すことが可能となる。
【００４７】
<<実施形態２>>
以下に、本発明の蛍光管システムの実施形態２について説明する。
【００４８】
<実施形態２の概念>
以下に、本実施形態の概念について説明する。本実施形態の蛍光管システムは、電源部の電圧を監視することにより、検出した管電圧に応じて蛍光管部制御部又は／及び電源部制御部を駆動して、蛍光管部又は／及び電源部を保護することに特徴を有する。
【００４９】
<構成要件の明示>
以下に、本実施形態の構成要件を明示する。
図７は、本実施形態の蛍光管システムの機能ブロック図である。本実施形態の蛍光管システム０７００は、蛍光管部０７０１と、電源部０７０２と、蛍光管部制御部０７０３と、電源部制御部０７０４と、電源部電圧情報取得部０７０５と、第二正常電圧情報保持部０７０６と、第二比較部０７０７と、第二自己駆動部０７０８と、からなる。
【００５０】
<構成要件の説明>
以下に本実施形態の構成要件を説明する。
【００５１】
（蛍光管部）、（電源部）、（蛍光管部制御部）、（電源部制御部）
蛍光管部、電源部、蛍光管部制御部、電源部制御部については、実施形態１と同様であるので説明を省略する。
【００５２】
（電源部電圧情報取得部）
「電源部電圧情報取得部」は、電源部電圧情報を取得する。ここで「電源部電圧情報」とは、電源部の電圧を示す情報のことをいう。電源部電圧情報には、一例として、５〜１２Ｖの電圧値などが該当する。
【００５３】
（第二正常電圧情報保持部）
「第二正常電圧情報保持部」は、第二正常電圧情報を保持する。ここで「第二正常電圧情報」とは、電源部制御部の制御状態に応じて電源部が正常状態で有すべき電圧の情報のことをいう。また「電源部制御部の制御状態に応じて」とは、設定された電圧値に従って電源部制御部によって制御される電圧値に応じて、という意味である。また「正常状態」とは、上記設定された電圧の範囲内の状態にある電圧値のことをいう。第二正常電圧情報には、一例として、１０〜１２Ｖの範囲内の電圧値などが該当する。また第二正常電圧情報は、電圧値に加えて、蛍光管部の輝度に対応する情報、例えば、「明るい」、「通常」、「暗い」などの付加情報を有していてもよい。さらに第二正常電圧情報は、時間とは無関係にある幅を持った電圧値に限定されず、時間と関係付けられた電圧値であってもよい。時間と関係付けられた電圧値には、ある特定の時間における電圧値に限定されず、ある時間幅を持った電圧値であってもよい。例えば、１秒間にある幅を有する電圧値などであってもよい。
【００５４】
また第二正常電圧情報保持部は、制御状態に応じた複数の第二正常電圧情報を保持することもできる。一例として、第二正常電圧情報保持部は、蛍光管部の輝度に対応する複数の第一正常電圧情報、例えば、「明るい」、「通常」、「暗い」などの輝度に対応した複数の電圧値を保持することができる。この場合には、液晶ディスプレイなどの使用状況に応じて、適した輝度になるように蛍光管部を制御することが可能となる。
【００５５】
（第二比較部）
「第二比較部」は、電源部電圧情報取得部が取得した電源部電圧情報と、第二正常電圧情報保持部が保持する第二正常電圧情報とを比較する。一例として、第二比較部は、比較の結果、電源部電圧情報で示される電圧値の方が第二正常電圧情報で示される範囲の電圧値よりも高い場合には、「Ｈ」の信号を第二自己駆動部に対して出力する。また比較の結果、電源部電圧情報で示される電圧値の方が第二正常電圧情報で示される範囲の電圧値よりも低い場合には、第二比較部は、「Ｌ」の信号を第二自己駆動部に対して出力する。さらに比較の結果、電源部電圧情報で示される電圧値が第二正常電圧情報で示される電圧値の範囲内にある場合には、第二比較部は、信号を第二自己駆動部に対して出力しない（例えばハイインピーダンス状態になる）。なお、第二比較部の出力は、デジタルデータの出力であってもよい。
【００５６】
また第二正常電圧情報保持部が制御状態に応じた複数の第二正常電圧情報を保持する場合には、第二比較部は、制御状態に応じて複数の第二正常電圧情報から特定の第二正常電圧情報を取得して比較を行う選択比較手段を有する構成とすることもできる。一例として、第二正常電圧情報保持部が、蛍光管部の輝度に対応する複数の第二正常電圧情報として、「明るい」、「通常」、「暗い」などの輝度に対応した複数の電圧値を保持している場合には、選択比較手段は、その中から、「明るい」に対応した第二正常電圧情報を取得して比較を行うことができる。この特定の第二正常電圧情報の取得は、蛍光管システム外部より手動でキー入力などによって取得されてもよいし、蛍光管システム内部であらかじめ設定されたＲＯＭなどのメモリから取得されてもよい。選択比較手段が蛍光管システム内部であらかじめ設定された複数の第二正常電圧情報の中から特定のものを取得する場合には、時間帯によって蛍光管部の輝度を自動的に変更できるように特定の第二正常電圧情報を取得することも可能である。例えば、朝方から夕方にかけての比較的日差しの強い時間帯には、「通常」、「暗い」を選択し、夜間の日差しのない時間帯には、「明るい」を選択するように構成することができる。
【００５７】
（第二自己駆動部）
「第二自己駆動部」は、第二比較部での比較結果に基づいて蛍光管部制御部又は／及び電源部制御部を駆動する。ここで「比較結果に基づいて」とは、第二比較部から出力された信号に従って、蛍光管部制御部又は／及び電源部制御部を駆動するという意味である。ここで「駆動する」とは、蛍光管部又は／及び電源部を所定の電圧になるように蛍光管部制御部又は／及び電源部制御部を駆動するという意味である。「所定の電圧」とは、蛍光管システムを設計するに際して設定される電圧のことをいう。一例として、第二自己駆動部は、第二比較部からの出力が「Ｈ」の場合には、蛍光管部が低輝度になるように蛍光管部制御部を駆動する。あるいは、蛍光管部の電圧を遮断するように蛍光管部制御部を駆動してもよい。また、一例として、第一自己駆動部は、第二比較部からの出力が「Ｈ」の場合には、電源部を低電圧になるように電源部制御部を駆動する。あるいは、電源部の電圧を遮断するように電源部制御部を駆動してもよい。
【００５８】
図８は、上記第二自己駆動部の制御の例を示す表である。例えば、第二正常電圧情報保持部が１０〜１２Ｖの電圧値を保持しているものとする。このとき、電源部電圧情報取得部が取得した電源部電圧情報が１３Ｖであるとする。第二比較部は、電源部電圧情報取得部が取得した電源部電圧情報１３Ｖと、第二正常電圧情報保持部が保持する第二正常電圧情報１０〜１２Ｖを比較し、電源部電圧情報の方が電圧値が高いので、第二自己駆動部に対して「Ｈ」の信号を出力する。第二比較部から「Ｈ」の信号を取得した第二自己駆動部は、蛍光管部が低輝度になる方向、つまり第二正常電圧情報で示される輝度になるように蛍光管部制御部を駆動する。また、第二自己駆動部は、電源部が低電圧になる方向、つまり第二正常電圧情報で示される電圧になるように電源部制御部を駆動する。同様にして、電源部電圧情報取得部が取得した電源部電圧情報が９Ｖであるとする。第二比較部は、電源部電圧情報取得部が取得した電源部電圧情報９Ｖと、第二正常電圧情報保持部が保持する第二正常電圧情報１０〜１２Ｖを比較し、電源部電圧情報の方が電圧値が低いので、第二自己駆動部に対して「Ｌ」の信号を出力する。第二比較部から「Ｌ」の信号を取得した第二自己駆動部は、蛍光管部が高輝度になる方向、つまり第二正常電圧情報で示される輝度になるように蛍光管部制御部を駆動する。また、第二自己駆動部は、電源部が高電圧になる方向、つまり第二正常電圧情報で示される電圧になるように電源部制御部を駆動する。さらに、電源部電圧情報取得部が取得した電源部電圧情報が１１Ｖであるとする。第二比較部は、電源部電圧情報取得部が取得した電源部電圧情報１１Ｖと、第二正常電圧情報保持部が保持する第二正常電圧情報１０〜１２Ｖを比較し、電源部電圧情報の電圧値が第二正常電圧情報の範囲内にあるので、第二自己駆動部に対して信号を出力しない。第二比較部から信号を取得しない場合には、第二自己駆動部は、蛍光管部制御部を駆動しない。つまり、現状の蛍光管部の輝度を維持する。また、第二自己駆動部は、電源部制御部を駆動しない。つまり、現状の電源部の電圧を維持する。
【００５９】
（蛍光管システム）
本実施形態の蛍光管システムは、蛍光管部と、電源部と、蛍光管部制御部と、電源部制御部と、電源部電圧情報取得部と、第二正常電圧情報保持部と、第二比較部と、第二自己駆動部を有する。本実施形態の蛍光管システムは、電源部の管電圧を監視することにより、検出した電源部電圧に応じて蛍光管部制御部又は／及び電源部制御部を駆動して、蛍光管部又は／及び電源部を保護する。
【００６０】
<処理の流れ>
以下に本実施形態の蛍光管システムの処理の流れを示す。
【００６１】
図９は、本実施形態の処理の流れを示す図である。
まず、第二正常電圧情報保持ステップは、電源部制御部の制御状態に応じて電源部が正常状態で有すべき電圧の情報である第二正常電圧情報を保持する（ステップＳ０９０１）。次に、電源部電圧情報取得ステップは、電源部の電圧を示す情報である電源部電圧情報を取得する（ステップＳ０９０２）。次に、第二正常電圧情報保持ステップで保持した第二正常電圧情報が複数あるか判定する（ステップＳ０９０３）。第二正常電圧情報が複数ある場合には、ステップＳ０９０４に進む。第二正常電圧情報が複数ない場合には、ステップＳ０９０５に進む。次に選択比較手段は、複数の第二正常電圧情報の中から特定の第二正常電圧情報を選択する（ステップＳ０９０４）。次に、第二比較ステップは、電源部電圧情報取得ステップが取得した電源部電圧情報と、第二正常電圧情報保持ステップが保持する第二正常電圧情報とを比較する（ステップＳ０９０５）。次に、第二自己駆動ステップは、第二比較ステップでの比較結果に基づいて蛍光管部制御部又は／及び電源部制御部を駆動する（ステップＳ０９０６）。
【００６２】
（実施例２：主に請求項５、６に対応）
以下に、本実施形態の実施例２を説明する。実施例２は、第二正常電圧情報保持部が、複数の第二正常電圧情報を保持し、第二比較部が、複数の第二正常電圧情報から特定の第二正常電圧情報を取得して比較を行う選択比較手段を有することを特徴とする。
【００６３】
図１０は、実施例２の機能ブロック図である。実施例２の蛍光管システム１０００は、蛍光管部１００１と、電源部１００２と、蛍光管部制御部１００３と、電源部制御部１００４と、電源部電圧情報取得部１００５と、第二正常電圧情報保持部１００６と、第二比較部１００７と、第二自己駆動部１００８と、ユーザー制御部１０１３（キー入力）と、からなる。また第二比較部は、選択比較手段１００９を有する。第二正常電圧情報保持部は、複数の第二正常電圧情報である第一基準電圧１０１０と、第二基準電圧１０１１と、第三基準電圧１０１２と、を有する。さらに図示してはいないが、通常、電源部から供給される電源は、インバータトランスなどによって直流−交流変換、電圧変換されて蛍光管部に供給される。なお、インバータトランスは電源部の内部に存在する構成としてもよい。ユーザー制御部には各種制御のための設定キーやボタンが設けられ、バックライトの明るさに関しても「明るい」、「通常」、「暗い」の３ポジションとして設定キーが設けられている。バックライトの明るさ設定スイッチの選択によりユーザー制御部から、ユーザー制御信号が出力され、ユーザー制御部の設定スイッチの選択位置に応じて選択比較手段は第一基準電圧、第二基準電圧または第三基準電圧の第二正常電圧情報を切換える。「明るい」設定の場合は第一基準電圧が選択され、「通常」設定の場合は第二基準電圧が選択され、「暗い」設定の場合は第三基準電圧が選択される。なお、第一基準電圧はバックライトの高輝度動作における上限の制御限界電圧に設定されており、第三基準電圧はバックライトの低輝度動作における下限の制御限界電圧に設定されている。また、電源部電圧情報取得部で取得された電源部電圧情報は、第二比較部にて第二正常電圧情報である第一基準電圧、第二基準電圧または第三基準電圧と比較され、比較結果は第二自己駆動部に出力される。第二自己駆動部は、第二比較部の信号と、ユーザー制御部からのユーザー制御信号に基づいて蛍光管部制御部及び／又は電源部制御部を制御する。
【００６４】
図１１は、実施例２の第二自己駆動部の制御の一例を示す表である。第二比較部では、ユーザー制御部からのユーザー制御信号が「明るい」または「通常・暗い」の信号により第二正常電圧情報である第一基準電圧（「明るい」に対応）、第二基準電圧（「通常」に対応）または第三基準電圧（「暗い」に対応）のいずれであるかを特定する。第二比較部は、ユーザー制御信号により特定された複数の第二正常電圧情報の中の一の基準電圧（例えば、第一基準電圧、つまりユーザー制御信号が「明るい」の信号の場合）と、電源部電圧情報とを比較する。比較の結果、例えば、電源部電圧情報の電圧値の方が高い場合には、第二比較部の出力が「Ｈ」となる。この場合には、第二自己駆動部は、制御信号を蛍光管部制御部に出力し、低輝度方向にデューティを変えるように制御する。蛍光管部は、管電圧が「Ｈ」のときに点灯する場合には、低輝度にするためには「Ｈ」の時間を「Ｌ」の時間よりも短くなるように制御すればよい。逆に高輝度にするためには「Ｈ」の時間を「Ｌ」の時間よりも長くなるように制御すればよい。第二自己駆動部は、電源部制御部に対しては、減電圧する方向に制御する。減電圧する方向に制御するには、電源部の時定数を大きくする方向に電源部制御部を制御することにより実現することができる。
【００６５】
次に、第二比較部での比較の結果、蛍光管部電圧情報の電圧値の方が低い場合には、第二比較部の出力が「Ｌ」となる。この場合には、第二自己駆動部は、制御信号を蛍光管部制御部に出力し、高輝度方向にデューティを変えるように制御する。第二自己駆動部は、電源部制御部に対しては、増電圧する方向に制御する。増電圧する方向に制御するには、電源部の時定数を小さくする方向に電源部制御部を制御することにより実現することができる。
【００６６】
次に、第二比較部での比較の結果、電源部電圧情報の電圧値が第一基準電圧の範囲内の場合には、第二比較部は出力しない。この場合には、第二自己駆動部は、制御信号を蛍光管部制御部に出力せず、蛍光管部は現状の輝度を維持する。第二自己駆動部は、電源部制御部に対しても制御信号を出力せず、電源部は現状の電圧を維持する。
【００６７】
ユーザー制御信号が「通常・暗い」の信号の場合にも、ユーザー制御信号が「明るい」の信号の場合と同様に考えることができる。
【００６８】
<実施形態２の効果の簡単な説明>
【００６９】
本実施形態の蛍光管システムによれば、電源部電圧情報を取得して、第二正常電圧情報と比較することにより、蛍光管及び／又は電源部の電圧の制御を行うことができるので、電源部の異常電圧を検出し、蛍光管システムを正常な状態に戻すことが可能となる。
【００７０】
<<実施形態３>>
以下に、本発明の蛍光管システムの実施形態３について説明する。
【００７１】
<実施形態３の概念>
以下に、本実施形態の概念について説明する。本実施形態の蛍光管システムは、蛍光管部の管電圧と過渡状態の電圧を監視することにより、検出した管電圧と過渡状態の電圧に応じて蛍光管部制御部又は／及び電源部制御部を駆動して、蛍光管部又は／及び電源部を保護することに特徴を有する。
【００７２】
<構成要件の明示>
以下に、本実施形態の構成要件を明示する。
図１２は、本実施形態の蛍光管システムの機能ブロック図である。本実施形態の蛍光管システム１２００は、蛍光管部１２０１と、電源部１２０２と、蛍光管部制御部１２０３と、電源部制御部１２０４と、蛍光管部電圧情報取得部１２０５と、第一正常電圧情報保持部１２０６と、第一比較部１２０７と、第三自己駆動部１２０８と、過渡状態電圧情報取得部１２０９と、第三正常電圧情報保持部１２１０と、第三比較部１２１１と、からなる。
【００７３】
<構成要件の説明>
以下に本実施形態の構成要件を説明する。
【００７４】
（蛍光管部）、（電源部）、（蛍光管部制御部）、（電源部制御部）、（蛍光管部電圧情報取得部）、（第一正常電圧情報保持部）、（第一比較部）
蛍光管部、電源部、蛍光管部制御部、電源部制御部、蛍光管部電圧情報取得部、第一正常電圧情報保持部、第一比較部については、実施形態１と同様であるので説明を省略する。
【００７５】
（過渡状態電圧情報取得部）
「過渡状態電圧情報取得部」は、過渡状態電圧情報を取得する。ここで「過渡状態電圧情報」とは、蛍光管部の過渡状態の電圧を示す情報のことをいう。ここで「過渡状態」とは、電源投入時などに、蛍光管部が定電圧特性を示すまでの過渡期の状態のことをいう。実施形態１の蛍光管部で説明したように、一例として、管電圧が３００〜１３００Ｖｒｍｓ程度の電圧の蛍光管部を使用する場合には、管電圧を示すまでの５００〜１６００Ｖｒｍｓ程度の電圧が過渡状態の電圧となる（通常の場合）。
【００７６】
図２８は、過渡状態電圧情報を説明するための図である。図２８で、管電圧３００〜１３００Ｖｒｍｓになるまでの電流Ｉ０（Ａ）までの電圧が、過渡状態電圧を示しており、５００〜１６００Ｖｒｍｓの電圧値が該当する。
【００７７】
（第三正常電圧情報保持部）
「第三正常電圧情報保持部」は、第三正常電圧情報を保持する。ここで「第三正常電圧情報」とは、蛍光管部が正常状態で有すべき過渡状態の電圧を示す情報のことをいう。実施形態１の蛍光管部で説明したように、第三正常電圧情報には、一例として、管電圧が３００〜１３００Ｖｒｍｓ程度の電圧の蛍光管部を使用する場合、５００〜１６００Ｖｒｍｓ程度の電圧が該当する。なお、第三正常電圧情報は、外部からのユーザー制御信号による制御状態に応じて複数あってもよい。
【００７８】
（第三比較部）
「第三比較部」は、過渡状態電圧情報取得部が取得した過渡状態電圧情報と、第三正常電圧情報保持部が保持する第三正常電圧情報とを比較する。第三比較部は、一例として、比較の結果、過渡状態電圧情報で示される電圧値の方が第三正常電圧情報で示される範囲の電圧値よりも高い場合には、「Ｈ」の信号を第三自己駆動部に対して出力する。また比較の結果、過渡状態電圧情報で示される電圧値の方が第三正常電圧情報で示される範囲の電圧値よりも低い場合には、第三比較部は、「Ｌ」の信号を第三自己駆動部に対して出力する。さらに比較の結果、過渡状態電圧情報で示される電圧値が第三正常電圧情報で示される電圧値の範囲内にある場合には、第三比較部は、信号を第三自己駆動部に対して出力しない（例えばハイインピーダンス状態になる）。なお、第三比較部の出力は、デジタルデータであってもよい。
【００７９】
（第三自己駆動部）
第三自己駆動部は、第三比較部での比較結果及び第一比較部での比較結果に基づいて蛍光管部制御部又は／及び前記電源部制御部を駆動する。ここで「比較結果に基づいて」とは、第三比較部及び第一比較部から出力された信号に従って、蛍光管部制御部又は／及び電源部制御部を駆動するという意味である。ここで「駆動する」とは、蛍光管部又は／及び電源部を所定の電圧になるように蛍光管部制御部又は／及び電源部制御部を駆動するという意味である。「所定の電圧」とは、蛍光管システムを設計するに際して設定される電圧のことをいう。なお、第三自己駆動部の制御の具体例については、後述の図１５、図１６、図１７に示す。
【００８０】
（蛍光管システム）
本実施形態の蛍光管システムは、蛍光管部と、電源部と、蛍光管部制御部と、電源部制御部と、蛍光管部電圧情報取得部と、第一正常電圧情報保持部と、第一比較部と、第三自己駆動部と、過渡状態電圧情報取得部と、第三正常電圧情報保持部と、第三比較部と、を有する。本実施形態の蛍光管システムは、蛍光管部の管電圧と過渡状態の電圧を監視することにより、検出した管電圧と過渡状態の電圧に応じて蛍光管部制御部又は／及び電源部制御部を駆動して、蛍光管部又は／及び電源部を保護する。
【００８１】
<処理の流れ>
以下に本実施形態の蛍光管システムの処理の流れを示す。
【００８２】
図１３は、本実施形態の処理の流れを示す図である。
まず、第一正常電圧情報保持ステップは、蛍光管部制御部の制御状態に応じて蛍光管部が正常状態で有すべき電圧の情報である第一正常電圧情報を保持する（ステップＳ１３０１）。次に、蛍光管部電圧情報取得ステップは、蛍光管部の電圧を示す情報である蛍光管部電圧情報を取得する（ステップＳ１３０２）。次に、第一正常電圧情報保持ステップで保持した第一正常電圧情報が複数あるか判定する（ステップＳ１３０３）。第一正常電圧情報が複数ある場合には、ステップＳ１３０４に進む。第一正常電圧情報が複数ない場合には、ステップＳ１３０５に進む。次に選択比較手段は、複数の第一正常電圧情報の中から特定の第一正常電圧情報を選択する（ステップＳ１３０４）。次に、第一比較ステップは、蛍光管部電圧情報取得ステップが取得した蛍光管部電圧情報と、第一正常電圧情報保持ステップが保持する第一正常電圧情報とを比較する（ステップＳ１３０５）。次に、第三正常電圧情報保持ステップは、蛍光管部が正常状態で有すべき過渡状態の電圧を示す情報である第三正常電圧情報を保持する（ステップＳ１３０６）。次に、過渡状態電圧情報取得部は、蛍光管部の過渡状態の電圧を示す情報である過渡状態電圧情報を取得する（ステップＳ１３０７）。次に、第三比較部は、過渡状態電圧情報取得部が取得した過渡状態電圧情報と、第三正常電圧情報保持部が保持する第三正常電圧情報とを比較する（ステップＳ１３０８）。次に、第三自己駆動部は、第三比較部での比較結果及び第一比較部での比較結果に基づいて蛍光管部制御部又は／及び電源部制御部を駆動する（ステップＳ１３０９）。
【００８３】
（実施例３：主に請求項７に対応）
以下に、本実施形態の実施例３を説明する。
【００８４】
図１４は、実施例３の機能ブロック図である。実施例３の蛍光管システム１４００は、蛍光管部１４０１と、電源部１４０２と、蛍光管部制御部１４０３と、電源部制御部１４０４と、蛍光管部電圧情報取得部１４０５と、第一正常電圧情報保持部１４０６と、第一比較部１４０７と、第三自己駆動部１４０８と、過渡状態電圧情報取得部１４１４と、第三正常電圧情報保持部１４１５と、第三比較部１４１６と、ユーザー制御部１４１３（キー入力）と、からなる。また第一比較部は、選択比較手段１４０９を有する。第一正常電圧情報保持部は、複数の第一正常電圧情報である第一基準電圧１４１０と、第二基準電圧１４１１と、第三基準電圧１４１２と、を有する。さらに図示してはいないが、通常、電源部から供給される電源は、インバータトランスなどによって直流−交流変換、電圧変換されて蛍光管部に供給される。なお、インバータトランスは電源部の内部に存在する構成としてもよい。ユーザー制御部には各種制御のための設定キーやボタンが設けられ、バックライトの明るさに関しても「明るい」、「通常」、「暗い」の３ポジションとして設定キーが設けられている。バックライトの明るさ設定スイッチの選択によりユーザー制御部から、ユーザー制御信号が出力され、ユーザー制御部の設定スイッチの選択位置に応じて選択比較手段は第一基準電圧（「明るい」に対応）、第二基準電圧（「通常」に対応）または第三基準電圧（「暗い」に対応）の第一正常電圧情報を切換える。「明るい」設定の場合は第一基準電圧が選択され、「通常」設定の場合は第二基準電圧が選択され、「暗い」設定の場合は第三基準電圧が選択される。なお、第一基準電圧はバックライトの高輝度動作における上限の制御限界電圧に設定されており、第三基準電圧はバックライトの低輝度動作における下限の制御限界電圧に設定されている。また、蛍光管部電圧情報取得部で取得された蛍光管部電圧情報は、第一比較部にて第一正常電圧情報である第一基準電圧、第二基準電圧または第三基準電圧と比較され、比較結果は第三自己駆動部に出力される。また、第三比較部は、過渡状態電圧情報取得部が取得した過渡状態電圧情報と、第三正常電圧情報保持部が保持する第三正常電圧情報とを比較する。比較結果は第三自己駆動部に出力される。第三自己駆動部は、第三比較部からの信号と、第一比較部からの信号と、ユーザー制御部からのユーザー制御信号に基づいて蛍光管部制御部及び／又は電源部制御部を制御する。
【００８５】
図１５、図１６、図１７は、実施例３の第三自己駆動部の制御の一例を示す表である。蛍光管部電圧情報は第一比較部にて第一基準電圧、第二基準電圧または第三基準電圧と比較され、比較結果は第三自己駆動部に入力される。過渡状態電圧情報は第三比較部にて第三正常電圧情報と比較され、第三比較部による比較結果は第三自己駆動部に入力される。第三自己駆動部は、第三比較部からの信号と、第一比較部からの信号と、ユーザー制御部からのユーザー制御信号に基づいて、蛍光管部制御部及び／又は電源部制御部を制御する。第三自己駆動部では第一比較部の「Ｈ」、「Ｌ」出力又は「出力無」と、ユーザー制御信号が「明るい」または「通常・暗い」の信号と、第三比較部の「Ｈ」、「Ｌ」出力又は「出力無」の３つ入力により蛍光管部制御部及び／又は電源部制御部を制御する。
【００８６】
図１５は、第一比較部の出力が「Ｈ」の場合である。例えば、第一比較部の出力が「Ｈ」で、ユーザー制御信号が「明るい」の信号で、第三比較部の出力が「Ｈ」の場合は、第三自己駆動部は、蛍光管部制御部に対しては、低輝度方向にデューティを変えるように制御し、電源部制御部に対しては、遮断する方向に制御する（つまり一定期間内に規定電圧に達しない場合は電源遮断する）。また、第一比較部の出力が「Ｈ」で、ユーザー制御信号が「明るい」の信号で、第三比較部の出力が「Ｌ」の場合は、第三自己駆動部は、蛍光管部制御部に対しては、遮断（ＯＦＦ）するように制御し、電源部制御部に対しては、電源供給を即、遮断（ＯＦＦ）するように制御する。また、第一比較部の出力が「Ｈ」で、ユーザー制御信号が「明るい」の信号で、第三比較部の出力が「出力無（正常）」の場合は、第三自己駆動部は、蛍光管部制御部に対しては、低輝度方向にデューティを変えるように制御し、電源部制御部に対しては、電源供給を維持するように制御する。
【００８７】
また、第一比較部の出力が「Ｈ」で、ユーザー制御信号が「通常・暗い」の信号で、第三比較部の出力が「Ｈ」の場合は、第三自己駆動部は、蛍光管部制御部に対しては、さらに低輝度方向にデューティを変えるように制御し、電源部制御部に対しては、遮断する方向に制御する。また、第一比較部の出力が「Ｈ」で、ユーザー制御信号が「通常・暗い」の信号で、第三比較部の出力が「Ｌ」の場合は、第三自己駆動部は、蛍光管部制御部に対しては、遮断（ＯＦＦ）するように制御し、電源部制御部に対しては、電源供給を即、遮断（ＯＦＦ）するように制御する。また、第一比較部の出力が「Ｈ」で、ユーザー制御信号が「通常・暗い」の信号で、第三比較部の出力が「出力無（正常）」の場合は、第三自己駆動部は、蛍光管部制御部に対しては、低輝度方向にデューティを変えるように制御し、電源部制御部に対しては、電源供給を維持するように制御する。
【００８８】
図１６は、第一比較部の出力が「Ｌ」の場合である。例えば、第一比較部の出力が「Ｌ」で、ユーザー制御信号が「明るい」の信号で、第三比較部の出力が「Ｈ」の場合は、第三自己駆動部は、蛍光管部制御部に対しては、そのままの状態を維持するように制御し、電源部制御部に対しては、遮断する方向に制御する。また、第一比較部の出力が「Ｌ」で、ユーザー制御信号が「明るい」の信号で、第三比較部の出力が「Ｌ」の場合は、第三自己駆動部は、蛍光管部制御部に対しては、遮断（ＯＦＦ）するように制御し、電源部制御部に対しては、電源供給を即、遮断（ＯＦＦ）するように制御する。また、第一比較部の出力が「Ｌ」で、ユーザー制御信号が「明るい」の信号で、第三比較部の出力が「出力無（正常）」の場合は、第三自己駆動部は、蛍光管部制御部に対しては、低輝度方向にデューティを変えるように制御し、電源部制御部に対しては、遮断する方向に制御する。
【００８９】
また、第一比較部の出力が「Ｌ」で、ユーザー制御信号が「通常・暗い」の信号で、第三比較部の出力が「Ｈ」の場合は、第三自己駆動部は、蛍光管部制御部に対しては、そのままの状態を維持するように制御し、電源部制御部に対しては、遮断する方向に制御する。また、第一比較部の出力が「Ｌ」で、ユーザー制御信号が「通常・暗い」の信号で、第三比較部の出力が「Ｌ」の場合は、第三自己駆動部は、蛍光管部制御部に対しては、遮断（ＯＦＦ）するように制御し、電源部制御部に対しては、電源供給を即、遮断（ＯＦＦ）するように制御する。また、第一比較部の出力が「Ｌ」で、ユーザー制御信号が「通常・暗い」の信号で、第三比較部の出力が「出力無（正常）」の場合は、第三自己駆動部は、蛍光管部制御部に対しては、低輝度方向にデューティを変えるように制御し、電源部制御部に対しては、遮断する方向に制御する。
【００９０】
図１７は、第一比較部の出力が「出力無（正常）」の場合である。例えば、第一比較部の出力が「出力無（正常）」で、ユーザー制御信号が「明るい」の信号で、第三比較部の出力が「Ｈ」の場合は、第三自己駆動部は、蛍光管部制御部に対しては、そのままの状態を維持するように制御し、電源部制御部に対しては、そのままの状態を維持するように制御する。また、第一比較部の出力が「出力無（正常）」で、ユーザー制御信号が「明るい」の信号で、第三比較部の出力が「Ｌ」の場合は、第三自己駆動部は、蛍光管部制御部に対しては、そのままの状態を維持するように制御し、電源部制御部に対しては、電源供給を即、遮断（ＯＦＦ）するように制御する。また、第一比較部の出力が「出力無（正常）」で、ユーザー制御信号が「明るい」の信号で、第三比較部の出力が「出力無（正常）」の場合は、第三自己駆動部は、蛍光管部制御部に対しては、そのままの状態を維持するように制御し、電源部制御部に対しては、そのままの状態を維持するように制御する。
【００９１】
また、第一比較部の出力が「出力無（正常）」で、ユーザー制御信号が「通常・暗い」の信号で、第三比較部の出力が「Ｈ」の場合は、第三自己駆動部は、蛍光管部制御部に対しては、そのままの状態を維持するように制御し、電源部制御部に対しては、そのままの状態を維持するように制御する。また、第一比較部の出力が「出力無（正常）」で、ユーザー制御信号が「通常・暗い」の信号で、第三比較部の出力が「Ｌ」の場合は、第三自己駆動部は、蛍光管部制御部に対しては、そのままの状態を維持するように制御し、電源部制御部に対しては、電源供給を即、遮断（ＯＦＦ）するように制御する。また、第一比較部の出力が「出力無（正常）」で、ユーザー制御信号が「通常・暗い」の信号で、第三比較部の出力が「出力無（正常）」の場合は、第三自己駆動部は、蛍光管部制御部に対しては、そのままの状態を維持するように制御し、電源部制御部に対しては、そのままの状態を維持するように制御する。
【００９２】
尚、この蛍光管システムの構成によれば、バックライトの保護だけでなく音声変化など負荷変動の絡む回路およびキー操作（ユーザー制御による）によって負荷変動する回路条件を制御部にインプットしておけば製品のあらゆる入力段のヒューズをも廃止できる。
【００９３】
<実施形態３の効果の簡単な説明>
【００９４】
本実施形態の蛍光管システムによれば、第三比較部と、第一比較部との出力結果により、蛍光管及び／又は電源部の電圧の制御を行うことができるので、蛍光管部の異常電圧を検出し、蛍光管システムを正常な状態に戻すことが可能となる。
【００９５】
<<実施形態４>>
【００９６】
<実施形態４の概念>
以下に、本実施形態の概念について説明する。本実施形態の蛍光管システムは、電源部の電圧と蛍光管部の過渡状態の電圧を監視することにより、検出した電源部の電圧と蛍光管部の過渡状態の電圧に応じて蛍光管部制御部又は／及び電源部制御部を駆動して、蛍光管部又は／及び電源部を保護することに特徴を有する。
【００９７】
<構成要件の明示>
以下に、本実施形態の構成要件を明示する。
図１８は、本実施形態の蛍光管システムの機能ブロック図である。本実施形態の蛍光管システム１８００は、蛍光管部１８０１と、電源部１８０２と、蛍光管部制御部１８０３と、電源部制御部１８０４と、電源部電圧情報取得部１８０５と、第二正常電圧情報保持部１８０６と、第二比較部１８０７と、第四自己駆動部１８０８と、過渡状態電圧情報取得部１８０９と、第三正常電圧情報保持部１８１０と、第三比較部１８１１と、からなる。
【００９８】
<構成要件の説明>
以下に本実施形態の構成要件を説明する。
【００９９】
（蛍光管部）、（電源部）、（蛍光管部制御部）、（電源部制御部）、（電源部電圧情報取得部）、（第二正常電圧情報保持部）、（第二比較部）
蛍光管部、電源部、蛍光管部制御部、電源部制御部、電源部電圧情報取得部、第二正常電圧情報保持部、第二比較部については、実施形態２と同様であるので説明を省略する。
【０１００】
（過渡状態電圧情報取得部）、（第三正常電圧情報保持部）、（第三比較部）
過渡状態電圧情報取得部、第三正常電圧情報保持部、第三比較部については、実施形態３と同様であるので説明を省略する。
【０１０１】
（第四自己駆動部）
第四自己駆動部は、第三比較部での比較結果及び第二比較部での比較結果に基づいて蛍光管部制御部又は／及び電源部制御部を駆動する。ここで「比較結果に基づいて」とは、第三比較部及び第二比較部から出力された信号に従って、蛍光管部制御部又は／及び電源部制御部を駆動するという意味である。ここで「駆動する」とは、蛍光管部又は／及び電源部を所定の電圧になるように蛍光管部制御部又は／及び電源部制御部を駆動するという意味である。「所定の電圧」とは、蛍光管システムを設計するに際して設定される電圧のことをいう。なお、第四自己駆動部の制御の具体例については、後述の図２１、図２２、図２３に示す。
【０１０２】
（蛍光管システム）
本実施形態の蛍光管システムは、蛍光管部と、電源部と、蛍光管部制御部と、電源部制御部と、電源部電圧情報取得部と、第二正常電圧情報保持部と、第二比較部と、第四自己駆動部と、過渡状態電圧情報取得部と、第三正常電圧情報保持部と、第三比較部と、を有する。本実施形態の蛍光管システムは、電源部の電圧と蛍光管部の過渡状態の電圧を監視することにより、検出した電源部の電圧と蛍光管部の過渡状態の電圧に応じて蛍光管部制御部又は／及び電源部制御部を駆動して、蛍光管部又は／及び電源部を保護する。
【０１０３】
<処理の流れ>
以下に本実施形態の蛍光管システムの処理の流れを示す。
【０１０４】
図１９は、本実施形態の処理の流れを示す図である。
まず、第二正常電圧情報保持ステップは、電源部制御部の制御状態に応じて電源部が正常状態で有すべき電圧の情報である第二正常電圧情報を保持する（ステップＳ１９０１）。次に、電源部電圧情報取得ステップは、電源部の電圧を示す情報である電源部電圧情報を取得する（ステップＳ１９０２）。次に、第二正常電圧情報保持ステップで保持した第二正常電圧情報が複数あるか判定する（ステップＳ１９０３）。第二正常電圧情報が複数ある場合には、ステップＳ１９０４に進む。第二正常電圧情報が複数ない場合には、ステップＳ１９０５に進む。次に選択比較手段は、複数の第二正常電圧情報の中から特定の第二正常電圧情報を選択する（ステップＳ１９０４）。次に、第二比較ステップは、電源部電圧情報取得ステップが取得した電源部電圧情報と、第二正常電圧情報保持ステップが保持する第二正常電圧情報とを比較する（ステップＳ１９０５）。次に、第三正常電圧情報保持ステップは、蛍光管部が正常状態で有すべき過渡状態の電圧を示す情報である第三正常電圧情報を保持する（ステップＳ１９０６）。次に、過渡状態電圧情報取得部は、蛍光管部の過渡状態の電圧を示す情報である過渡状態電圧情報を取得する（ステップＳ１９０７）。次に、第三比較部は、過渡状態電圧情報取得部が取得した過渡状態電圧情報と、第三正常電圧情報保持部が保持する第三正常電圧情報とを比較する（ステップＳ１９０８）。次に、第四自己駆動部は、第三比較部での比較結果及び第二比較部での比較結果に基づいて蛍光管部制御部又は／及び電源部制御部を駆動する（ステップＳ１９０９）。
【０１０５】
（実施例４：主に請求項８に対応）
以下に、本実施形態の実施例４を説明する。
【０１０６】
図２０は、実施例４の機能ブロック図である。実施例４の蛍光管システム２０００は、蛍光管部２００１と、電源部２００２と、蛍光管部制御部２００３と、電源部制御部２００４と、電源部電圧情報取得部２００５と、第二正常電圧情報保持部２００６と、第二比較部２００７と、第四自己駆動部２００８と、過渡状態電圧情報取得部２０１４と、第三正常電圧情報保持部２０１５と、第三比較部２０１６と、ユーザー制御部２０１３（キー入力）と、からなる。また第二比較部は、選択比較手段２００９を有する。第二正常電圧情報保持部は、複数の第二正常電圧情報である第一基準電圧２０１０と、第二基準電圧２０１１と、第三基準電圧２０１２と、を有する。さらに図示してはいないが、通常、電源部から供給される電源は、インバータトランスなどによって直流−交流変換、電圧変換されて蛍光管部に供給される。なお、インバータトランスは電源部の内部に存在する構成としてもよい。ユーザー制御部には各種制御のための設定キーやボタンが設けられ、バックライトの明るさに関しても「明るい」、「通常」、「暗い」の３ポジションとして設定キーが設けられている。バックライトの明るさ設定スイッチの選択によりユーザー制御部から、ユーザー制御信号が出力され、ユーザー制御部の設定スイッチの選択位置に応じて選択比較手段は第一基準電圧（「明るい」に対応）、第二基準電圧（「通常」に対応）または第三基準電圧（「暗い」に対応）の第二正常電圧情報を切換える。「明るい」設定の場合は第一基準電圧が選択され、「通常」設定の場合は第二基準電圧が選択され、「暗い」設定の場合は第三基準電圧が選択される。なお、第一基準電圧はバックライトの高輝度動作における上限の制御限界電圧に設定されており、第三基準電圧はバックライトの低輝度動作における下限の制御限界電圧に設定されている。また、電源部電圧情報取得部で取得された電源部電圧情報は、第二比較部にて第二正常電圧情報である第一基準電圧、第二基準電圧または第三基準電圧と比較され、比較結果は第四自己駆動部に出力される。また、第三比較部は、過渡状態電圧情報取得部が取得した過渡状態電圧情報と、第三正常電圧情報保持部が保持する第三正常電圧情報とを比較する。比較結果は第四自己駆動部に出力される。第四自己駆動部は、第三比較部からの信号と、第二比較部からの信号と、ユーザー制御部からのユーザー制御信号に基づいて蛍光管部制御部及び／又は電源部制御部を制御する。
【０１０７】
図２１、図２２、図２３は、実施例４の第四自己駆動部の制御の一例を示す表である。電源部電圧情報は第二比較部にて第一基準電圧、第二基準電圧または第三基準電圧と比較され、比較結果は第四自己駆動部に入力される。過渡状態電圧情報は第三比較部にて第三正常電圧情報と比較され、第三比較部による比較結果は第三自己駆動部に入力される。第三自己駆動部は、第三比較部からの信号と、第二比較部からの信号と、ユーザー制御部からのユーザー制御信号に基づいて、蛍光管部制御部及び／又は電源部制御部を制御する。第四自己駆動部では第二比較部の「Ｈ」、「Ｌ」出力又は「出力無」と、ユーザー制御信号が「明るい」または「通常・暗い」の信号と、第三比較部の「Ｈ」、「Ｌ」出力又は「出力無」の３つ入力により蛍光管部制御部及び／又は電源部制御部を制御する。
【０１０８】
図２１は、第二比較部の出力が「Ｈ」の場合である。例えば、第二比較部の出力が「Ｈ」で、ユーザー制御信号が「明るい」の信号で、第三比較部の出力が「Ｈ」の場合は、第四自己駆動部は、蛍光管部制御部に対しては、低輝度方向にデューティを変えるように制御し、電源部制御部に対しては、遮断する方向に制御する（つまり一定期間内に規定電圧に達しない場合は電源遮断する）。また、第二比較部の出力が「Ｈ」で、ユーザー制御信号が「明るい」の信号で、第三比較部の出力が「Ｌ」の場合は、第四自己駆動部は、蛍光管部制御部に対しては、遮断（ＯＦＦ）するように制御し、電源部制御部に対しては、電源供給を即、遮断（ＯＦＦ）するように制御する。また、第二比較部の出力が「Ｈ」で、ユーザー制御信号が「明るい」の信号で、第三比較部の出力が「出力無（正常）」の場合は、第四自己駆動部は、蛍光管部制御部に対しては、低輝度方向にデューティを変えるように制御し、電源部制御部に対しては、電源供給を維持するように制御する。
【０１０９】
また、第二比較部の出力が「Ｈ」で、ユーザー制御信号が「通常・暗い」の信号で、第三比較部の出力が「Ｈ」の場合は、第四自己駆動部は、蛍光管部制御部に対しては、さらに低輝度方向にデューティを変えるように制御し、電源部制御部に対しては、遮断する方向に制御する。また、第二比較部の出力が「Ｈ」で、ユーザー制御信号が「通常・暗い」の信号で、第三比較部の出力が「Ｌ」の場合は、第四自己駆動部は、蛍光管部制御部に対しては、遮断（ＯＦＦ）するように制御し、電源部制御部に対しては、電源供給を即、遮断（ＯＦＦ）するように制御する。また、第二比較部の出力が「Ｈ」で、ユーザー制御信号が「通常・暗い」の信号で、第三比較部の出力が「出力無（正常）」の場合は、第四自己駆動部は、蛍光管部制御部に対しては、低輝度方向にデューティを変えるように制御し、電源部制御部に対しては、電源供給を維持するように制御する。
【０１１０】
図２２は、第二比較部の出力が「Ｌ」の場合である。例えば、第二比較部の出力が「Ｌ」で、ユーザー制御信号が「明るい」の信号で、第三比較部の出力が「Ｈ」の場合は、第四自己駆動部は、蛍光管部制御部に対しては、そのままの状態を維持するように制御し、電源部制御部に対しては、遮断する方向に制御する。また、第二比較部の出力が「Ｌ」で、ユーザー制御信号が「明るい」の信号で、第三比較部の出力が「Ｌ」の場合は、第四自己駆動部は、蛍光管部制御部に対しては、遮断（ＯＦＦ）するように制御し、電源部制御部に対しては、電源供給を即、遮断（ＯＦＦ）するように制御する。また、第二比較部の出力が「Ｌ」で、ユーザー制御信号が「明るい」の信号で、第三比較部の出力が「出力無（正常）」の場合は、第四自己駆動部は、蛍光管部制御部に対しては、低輝度方向にデューティを変えるように制御し、電源部制御部に対しては、遮断する方向に制御する。
【０１１１】
また、第二比較部の出力が「Ｌ」で、ユーザー制御信号が「通常・暗い」の信号で、第三比較部の出力が「Ｈ」の場合は、第四自己駆動部は、蛍光管部制御部に対しては、そのままの状態を維持するように制御し、電源部制御部に対しては、遮断する方向に制御する。また、第二比較部の出力が「Ｌ」で、ユーザー制御信号が「通常・暗い」の信号で、第三比較部の出力が「Ｌ」の場合は、第四自己駆動部は、蛍光管部制御部に対しては、遮断（ＯＦＦ）するように制御し、電源部制御部に対しては、電源供給を即、遮断（ＯＦＦ）するように制御する。また、第二比較部の出力が「Ｌ」で、ユーザー制御信号が「通常・暗い」の信号で、第三比較部の出力が「出力無（正常）」の場合は、第四自己駆動部は、蛍光管部制御部に対しては、低輝度方向にデューティを変えるように制御し、電源部制御部に対しては、遮断する方向に制御する。
【０１１２】
図２３は、第二比較部の出力が「出力無（正常）」の場合である。例えば、第二比較部の出力が「出力無（正常）」で、ユーザー制御信号が「明るい」の信号で、第三比較部の出力が「Ｈ」の場合は、第四自己駆動部は、蛍光管部制御部に対しては、そのままの状態を維持するように制御し、電源部制御部に対しては、そのままの状態を維持するように制御する。また、第二比較部の出力が「出力無（正常）」で、ユーザー制御信号が「明るい」の信号で、第三比較部の出力が「Ｌ」の場合は、第四自己駆動部は、蛍光管部制御部に対しては、そのままの状態を維持するように制御し、電源部制御部に対しては、電源供給を即、遮断（ＯＦＦ）するように制御する。また、第二比較部の出力が「出力無（正常）」で、ユーザー制御信号が「明るい」の信号で、第三比較部の出力が「出力無（正常）」の場合は、第四自己駆動部は、蛍光管部制御部に対しては、そのままの状態を維持するように制御し、電源部制御部に対しては、そのままの状態を維持するように制御する。
【０１１３】
また、第二比較部の出力が「出力無（正常）」で、ユーザー制御信号が「通常・暗い」の信号で、第三比較部の出力が「Ｈ」の場合は、第四自己駆動部は、蛍光管部制御部に対しては、そのままの状態を維持するように制御し、電源部制御部に対しては、そのままの状態を維持するように制御する。また、第二比較部の出力が「出力無（正常）」で、ユーザー制御信号が「通常・暗い」の信号で、第三比較部の出力が「Ｌ」の場合は、第四自己駆動部は、蛍光管部制御部に対しては、そのままの状態を維持するように制御し、電源部制御部に対しては、電源供給を即、遮断（ＯＦＦ）するように制御する。また、第二比較部の出力が「出力無（正常）」で、ユーザー制御信号が「通常・暗い」の信号で、第三比較部の出力が「出力無（正常）」の場合は、第四自己駆動部は、蛍光管部制御部に対しては、そのままの状態を維持するように制御し、電源部制御部に対しては、そのままの状態を維持するように制御する。
【０１１４】
尚、この蛍光管システムの構成によれば、バックライトの保護だけでなく音声変化など負荷変動の絡む回路およびキー操作（ユーザー制御による）によって負荷変動する回路条件を制御部にインプットしておけば製品のあらゆる入力段のヒューズをも廃止できる。
【０１１５】
<実施形態４の効果の簡単な説明>
【０１１６】
本実施形態の蛍光管システムによれば、第三比較部と、第二比較部との出力結果により、蛍光管及び／又は電源部の電圧の制御を行うことができるので、蛍光管部の異常電圧を検出し、蛍光管システムを正常な状態に戻すことが可能となる。
【０１１７】
<<実施形態５>>
【０１１８】
<実施形態５の概念>
以下に、本実施形態の概念について説明する。本実施形態の蛍光管システムは、電源部の電圧と、蛍光管部の管電圧と過渡状態の電圧を監視することにより、検出した電源部の電圧と、蛍光管部の管電圧と過渡状態の電圧に応じて蛍光管部制御部又は／及び電源部制御部を駆動して、蛍光管部又は／及び電源部を保護することに特徴を有する。
【０１１９】
<構成要件の明示>
以下に、本実施形態の構成要件を明示する。
本実施形態の蛍光管システムは、蛍光管部と、電源部と、蛍光管部制御部と、電源部制御部と、蛍光管部電圧情報取得部と、第一正常電圧情報保持部と、第一比較部と、電源部電圧情報取得部と、第二正常電圧情報保持部と、第二比較部と、第五自己駆動部と、過渡状態電圧情報取得部と、第三正常電圧情報保持部と、第三比較部と、からなる。
【０１２０】
<構成要件の説明>
以下に本実施形態の構成要件を説明する。
【０１２１】
（蛍光管部）、（電源部）、（蛍光管部制御部）、（電源部制御部）、（蛍光管部電圧情報取得部）、（第一正常電圧情報保持部）、（第一比較部）、（過渡状態電圧情報取得部）、（第三正常電圧情報保持部）、（第三比較部）
蛍光管部、電源部、蛍光管部制御部、電源部制御部、蛍光管部電圧情報取得部、第一正常電圧情報保持部、第一比較部、過渡状態電圧情報取得部、第三正常電圧情報保持部、第三比較部については、実施形態３と同様であるので説明を省略する。
【０１２２】
（電源部電圧情報取得部）、（第二正常電圧情報保持部）、（第二比較部）
電源部電圧情報取得部、第二正常電圧情報保持部、第二比較部については、実施形態４と同様であるので説明を省略する。
【０１２３】
（第五自己駆動部）
第五自己駆動部は、第三比較部での比較結果、第二比較部での比較結果、及び第一比較部での比較結果に基づいて蛍光管部制御部又は／及び電源部制御部を駆動する。ここで「比較結果に基づいて」とは、第三比較部及び第二比較部及び第一比較部から出力された信号に従って、蛍光管部制御部又は／及び電源部制御部を駆動するという意味である。ここで「駆動する」とは、蛍光管部又は／及び電源部を所定の電圧になるように蛍光管部制御部又は／及び電源部制御部を駆動するという意味である。「所定の電圧」とは、蛍光管システムを設計するに際して設定される電圧のことをいう。
【０１２４】
図２４、図２５、図２６、図２７は、第五自己駆動部の制御の一例を示す表である。
【０１２５】
図２４は、第一比較部、第二比較部の出力がともに「Ｈ」の場合である。例えば、第一比較部、第二比較部の出力がともに「Ｈ」で、ユーザー制御信号が「明るい」の信号で、第三比較部の出力が「Ｈ」の場合は、第五自己駆動部は、蛍光管部制御部に対しては、低輝度方向にデューティを変えるように制御し、電源部制御部に対しては、遮断する方向に制御する（つまり一定期間内に規定電圧に達しない場合は電源遮断する）。また、第一比較部、第二比較部の出力がともに「Ｈ」で、ユーザー制御信号が「明るい」の信号で、第三比較部の出力が「Ｌ」の場合は、第五自己駆動部は、蛍光管部制御部に対しては、遮断（ＯＦＦ）するように制御し、電源部制御部に対しては、電源供給を即、遮断（ＯＦＦ）するように制御する。また、第一比較部、第二比較部の出力がともに「Ｈ」で、ユーザー制御信号が「明るい」の信号で、第三比較部の出力が「出力無（正常）」の場合は、第五自己駆動部は、蛍光管部制御部に対しては、低輝度方向にデューティを変えるように制御し、電源部制御部に対しては、電源供給を維持するように制御する。
【０１２６】
また、第一比較部、第二比較部の出力がともに「Ｈ」で、ユーザー制御信号が「通常・暗い」の信号で、第三比較部の出力が「Ｈ」の場合は、第五自己駆動部は、蛍光管部制御部に対しては、さらに低輝度方向にデューティを変えるように制御し、電源部制御部に対しては、遮断する方向に制御する。また、第一比較部、第二比較部の出力がともに「Ｈ」で、ユーザー制御信号が「通常・暗い」の信号で、第三比較部の出力が「Ｌ」の場合は、第五自己駆動部は、蛍光管部制御部に対しては、遮断（ＯＦＦ）するように制御し、電源部制御部に対しては、電源供給を即、遮断（ＯＦＦ）するように制御する。また、第一比較部、第二比較部の出力がともに「Ｈ」で、ユーザー制御信号が「通常・暗い」の信号で、第三比較部の出力が「出力無（正常）」の場合は、第五自己駆動部は、蛍光管部制御部に対しては、低輝度方向にデューティを変えるように制御し、電源部制御部に対しては、電源供給を維持するように制御する。
【０１２７】
図２５は、第一比較部、第二比較部の出力がともに「Ｌ」の場合である。例えば、第一比較部、第二比較部の出力がともに「Ｌ」で、ユーザー制御信号が「明るい」の信号で、第三比較部の出力が「Ｈ」の場合は、第五自己駆動部は、蛍光管部制御部に対しては、そのままの状態を維持するように制御し、電源部制御部に対しては、遮断する方向に制御する。また、第一比較部、第二比較部の出力がともに「Ｌ」で、ユーザー制御信号が「明るい」の信号で、第三比較部の出力が「Ｌ」の場合は、第五自己駆動部は、蛍光管部制御部に対しては、遮断（ＯＦＦ）するように制御し、電源部制御部に対しては、電源供給を即、遮断（ＯＦＦ）するように制御する。また、第一比較部、第二比較部の出力がともに「Ｌ」で、ユーザー制御信号が「明るい」の信号で、第三比較部の出力が「出力無（正常）」の場合は、第五自己駆動部は、蛍光管部制御部に対しては、低輝度方向にデューティを変えるように制御し、電源部制御部に対しては、遮断する方向に制御する。
【０１２８】
また、第一比較部、第二比較部の出力がともに「Ｌ」で、ユーザー制御信号が「通常・暗い」の信号で、第三比較部の出力が「Ｈ」の場合は、第五自己駆動部は、蛍光管部制御部に対しては、そのままの状態を維持するように制御し、電源部制御部に対しては、遮断する方向に制御する。また、第一比較部、第二比較部の出力がともに「Ｌ」で、ユーザー制御信号が「通常・暗い」の信号で、第三比較部の出力が「Ｌ」の場合は、第四自己駆動部は、蛍光管部制御部に対しては、遮断（ＯＦＦ）するように制御し、電源部制御部に対しては、電源供給を即、遮断（ＯＦＦ）するように制御する。また、第一比較部、第二比較部の出力がともに「Ｌ」で、ユーザー制御信号が「通常・暗い」の信号で、第三比較部の出力が「出力無（正常）」の場合は、第五自己駆動部は、蛍光管部制御部に対しては、低輝度方向にデューティを変えるように制御し、電源部制御部に対しては、遮断する方向に制御する。
【０１２９】
図２６は、第一比較部、第二比較部の出力がともに「出力無（正常）」の場合である。例えば、第一比較部、第二比較部の出力がともに「出力無（正常）」で、ユーザー制御信号が「明るい」の信号で、第三比較部の出力が「Ｈ」の場合は、第五自己駆動部は、蛍光管部制御部に対しては、そのままの状態を維持するように制御し、電源部制御部に対しては、そのままの状態を維持するように制御する。また、第一比較部、第二比較部の出力がともに「出力無（正常）」で、ユーザー制御信号が「明るい」の信号で、第三比較部の出力が「Ｌ」の場合は、第五自己駆動部は、蛍光管部制御部に対しては、そのままの状態を維持するように制御し、電源部制御部に対しては、電源供給を即、遮断（ＯＦＦ）するように制御する。また、第一比較部、第二比較部の出力がともに「出力無（正常）」で、ユーザー制御信号が「明るい」の信号で、第三比較部の出力が「出力無（正常）」の場合は、第五自己駆動部は、蛍光管部制御部に対しては、そのままの状態を維持するように制御し、電源部制御部に対しては、そのままの状態を維持するように制御する。
【０１３０】
また、第一比較部、第二比較部の出力がともに「出力無（正常）」で、ユーザー制御信号が「通常・暗い」の信号で、第三比較部の出力が「Ｈ」の場合は、第五自己駆動部は、蛍光管部制御部に対しては、そのままの状態を維持するように制御し、電源部制御部に対しては、そのままの状態を維持するように制御する。また、第一比較部、第二比較部の出力がともに「出力無（正常）」で、ユーザー制御信号が「通常・暗い」の信号で、第三比較部の出力が「Ｌ」の場合は、第五自己駆動部は、蛍光管部制御部に対しては、そのままの状態を維持するように制御し、電源部制御部に対しては、電源供給を即、遮断（ＯＦＦ）するように制御する。また、第一比較部、第二比較部の出力がともに「出力無（正常）」で、ユーザー制御信号が「通常・暗い」の信号で、第三比較部の出力が「出力無（正常）」の場合は、第五自己駆動部は、蛍光管部制御部に対しては、そのままの状態を維持するように制御し、電源部制御部に対しては、そのままの状態を維持するように制御する。
【０１３１】
図２７は、第一比較部、第二比較部の出力が不一致の場合である。この場合には、一例として、すべて異常であると判断し、第五自己駆動部は、蛍光管部制御部に対しては、遮断（ＯＦＦ）するように制御し、電源部制御部に対しては、電源供給を即、遮断（ＯＦＦ）するように制御する。
【０１３２】
尚、この蛍光管システムの構成によれば、バックライトの保護だけでなく音声変化など負荷変動の絡む回路およびキー操作（ユーザー制御による）によって負荷変動する回路条件を制御部にインプットしておけば製品のあらゆる入力段のヒューズをも廃止できる。
【０１３３】
（蛍光管システム）
本実施形態の蛍光管システムは、蛍光管部と、電源部と、蛍光管部制御部と、電源部制御部と、蛍光管部電圧情報取得部と、第一正常電圧情報保持部と、第一比較部と、電源部電圧情報取得部と、第二正常電圧情報保持部と、第二比較部と、第五自己駆動部と、過渡状態電圧情報取得部と、第三正常電圧情報保持部と、第三比較部と、を有する。本実施形態の蛍光管システムは、電源部の電圧と蛍光管部の管電圧及び過渡状態の電圧を監視することにより、検出した電源部の電圧と蛍光管部の管電圧及び過渡状態の電圧に応じて蛍光管部制御部又は／及び電源部制御部を駆動して、蛍光管部又は／及び電源部を保護する。
【０１３４】
<実施形態５の効果の簡単な説明>
【０１３５】
本実施形態の蛍光管システムによれば、第三比較部と、第二比較部と、第一比較部との出力結果により、蛍光管及び／又は電源部の電圧の制御を行うことができるので、蛍光管部の異常電圧を検出し、蛍光管システムを正常な状態に戻すことが可能となる。
【産業上の利用可能性】
【０１３６】
本発明は、バックライトを有する液晶ディスプレイなどに使用される蛍光管システムに適用可能である。
【図面の簡単な説明】
【０１３７】
【図１】実施形態1の機能ブロック図
【図２】実施形態1の蛍光管部の電圧−電流特性の説明図
【図３】実施形態1の第一自己駆動部の制御を説明する図
【図４】実施形態1の処理の流れ図
【図５】実施形態1の実施例1の機能ブロック図
【図６】実施形態1の実施例1の第一自己駆動部の制御を説明する図
【図７】実施形態２の機能ブロック図
【図８】実施形態２の第二自己駆動部の制御を説明する図
【図９】実施形態２の処理の流れ図
【図１０】実施形態２の実施例２の機能ブロック図
【図１１】実施形態２の実施例２の第二自己駆動部の制御を説明する図
【図１２】実施形態３の機能ブロック図
【図１３】実施形態３の処理の流れ図
【図１４】実施形態３の実施例３の機能ブロック図
【図１５】実施形態３の実施例３の第三自己駆動部の制御その１を説明する図
【図１６】実施形態３の実施例３の第三自己駆動部の制御その２を説明する図
【図１７】実施形態３の実施例３の第三自己駆動部の制御その３を説明する図
【図１８】実施形態４の機能ブロック図
【図１９】実施形態４の処理の流れ図
【図２０】実施形態４の実施例４の機能ブロック図
【図２１】実施形態４の実施例４の第四自己駆動部の制御その１を説明する図
【図２２】実施形態４の実施例４の第四自己駆動部の制御その２を説明する図
【図２３】実施形態４の実施例４の第四自己駆動部の制御その３を説明する図
【図２４】実施形態５の第五自己駆動部の制御その１を説明する図
【図２５】実施形態５の第五自己駆動部の制御その２を説明する図
【図２６】実施形態５の第五自己駆動部の制御その３を説明する図
【図２７】実施形態５の第五自己駆動部の制御その４を説明する図
【図２８】実施形態３の過渡状態電圧情報を説明する図
【符号の説明】
【０１３８】
０１００  蛍光管システム
０１０１  蛍光管部
０１０２  電源部
０１０３  蛍光管部制御部
０１０４  電源部制御部
０１０５  蛍光管部電圧情報取得部
０１０６  第一正常電圧情報保持部
０１０７  第一比較部
０１０８  第一自己駆動部
【図１】
2005285517.tif 000003
【図２】
2005285517.tif 000004
【図３】
2005285517.tif 000005
【図４】
2005285517.tif 000006
【図５】
2005285517.tif 000007
【図６】
2005285517.tif 000008
【図７】
2005285517.tif 000009
【図８】
2005285517.tif 000010
【図９】
2005285517.tif 000011
【図１０】
2005285517.tif 000012
【図１１】
2005285517.tif 000013
【図１２】
2005285517.tif 000014
【図１３】
2005285517.tif 000015
【図１４】
2005285517.tif 000016
【図１５】
2005285517.tif 000017
【図１６】
2005285517.tif 000018
【図１７】
2005285517.tif 000019
【図１８】
2005285517.tif 000020
【図１９】
2005285517.tif 000021
【図２０】
2005285517.tif 000022
【図２１】
2005285517.tif 000023
【図２２】
2005285517.tif 000024
【図２３】
2005285517.tif 000025
【図２４】
2005285517.tif 000026
【図２５】
2005285517.tif 000027
【図２６】
2005285517.tif 000028
【図２７】
2005285517.tif 000029
【図２８】
2005285517.tif 000030